(57)【要約】      （修正有）【課題】ヘッドセットや補聴器などの聴取装置における閉塞感を能動的に解消するためのイヤモールド、装置及び方法を提供する。【解決手段】外耳道用のイヤモールド２は、イヤモールドシェル４を有し、かつ、ある軸に沿って延在し、イヤモールドシェル４が先端部６を有する。先端部６は、装着されたときに鼓膜に対面し、イヤモールド２は、外耳道において音を受けるための第１のマイクロホン用開口部１０が、イヤモールドシェルの先端部６から第１の距離の第１の位置に配置されている第１のマイクロホン８と、外耳道に音を生じさせるためイヤモールドシェルの先端部から第２の距離の第２の位置に配置されているレシーバ用開口部１４とを含む。第１の位置は、第２の位置と異なる。【選択図】図１
2015144432.tif 000002
【特許請求の範囲】
【請求項１】
使用者の外耳道用のイヤモールドであって、前記イヤモールドは、イヤモールドシェルを有しているとともに軸に沿って延在しており、前記イヤモールドシェルは先端部を有し、前記先端部は、前記使用者によって装着されたときに前記使用者の鼓膜に対面し、
前記イヤモールドは、
前記外耳道において音を受けるための第１のマイクロホン用開口部に接続された第１のマイクロホンであって、前記第１のマイクロホン用開口部が前記イヤモールドシェルの前記先端部から第１の距離の第１の位置に配置されている第１のマイクロホンと、
前記外耳道に音を生じさせるためのレシーバ用開口部であって、前記イヤモールドシェルの前記先端部から第２の距離の第２の位置に配置されているレシーバ用開口部と、を含み、
前記第１の位置が前記第２の位置と異なるイヤモールド。
【請求項２】
前記第１のマイクロホン用開口部および前記レシーバ用開口部が、前記軸に垂直な方向において互いにオフセットしている請求項１に記載のイヤモールド。
【請求項３】
前記第１の距離が、前記第２の距離より短い請求項１または２に記載のイヤモールド。
【請求項４】
前記第１の位置と前記第２の位置との間の距離が、少なくとも１ｍｍである請求項１から３のいずれか一項に記載のイヤモールド。
【請求項５】
前記第１の位置と前記第２の位置との間の距離が、１．５ｍｍ〜５ｍｍの範囲である請求項４に記載のイヤモールド。
【請求項６】
前記外耳道を通気させるためのベント用開口部を備えるベントチャンネルをさらに含み、
前記ベント用開口部は、前記先端部から前記軸に沿って第３の距離の第３の位置に配置されており、
前記第１の位置は、前記第３の位置と異なる請求項１から５のいずれか一項に記載のイヤモールド。
【請求項７】
前記第１の位置と前記第３の位置との間の距離が、少なくとも１ｍｍである請求項６に記載のイヤモールド。
【請求項８】
前記第１の位置と前記第３の位置との間の距離が、１．５ｍｍ〜５ｍｍの範囲である請求項７に記載のイヤモールド。
【請求項９】
前記第２の位置が、前記第３の位置と異なる請求項６から８のいずれか一項に記載のイヤモールド。
【請求項１０】
前記第１の距離が、１ｍｍ未満である請求項１から９のいずれか一項に記載のイヤモールド。
【請求項１１】
前記第１のマイクロホン用開口部と前記レシーバ用開口部の少なくとも一方が、前記イヤモールドシェルに配置されている請求項１から１０のいずれか一項に記載のイヤモールド。
【請求項１２】
前記イヤモールドシェルから延出するマイクロホンチューブをさらに含み、
前記第１のマイクロホン用開口部は、前記マイクロホンチューブの遠位端部にある請求項１から１１のいずれか一項に記載のイヤモールド。
【請求項１３】
前記イヤモールドシェルから延出するレシーバチューブをさらに含み、
前記レシーバ用開口部が、前記レシーバチューブの遠位端部にある請求項１から１２のいずれか一項に記載のイヤモールド。
【請求項１４】
前記レシーバ用開口部に接続されたレシーバをさらに含む請求項１から１３のいずれか一項に記載のイヤモールド。
【請求項１５】
レシーバおよびマイクロホンに接続された処理装置を含み、
前記処理装置が、前記マイクロホンからの入力信号に基づいて前記レシーバへの出力信号を提供するように構成された閉塞感解消装置を含む請求項１から１４のいずれか一項に記載のイヤモールドを含む聴取装置。
【発明の詳細な説明】
【技術分野】
【０００１】
本開示はイヤモールドに関し、特に、ヘッドセットや補聴器などの聴取装置における閉塞感を能動的に解消するためのイヤモールド、装置および方法に関する。
【背景技術】
【０００２】
閉塞感は、長いこと、補聴器の使用者の一部に問題として認識されており、閉塞効果を低下させるために継続的な努力がなされてきた。
【０００３】
閉塞効果を低下させるための公知の解決法は、耳栓やイヤモールドにベントすなわち通気孔を設けて、外耳道（ｅａｒ  ｃａｎａｌ）と周囲との間の圧力を均圧化できるようにすることである。
【０００４】
さらに、能動的閉塞感解消（ＡＯＣ：ａｃｔｉｖｅ  ｏｃｃｌｕｓｉｏｎ  ｃａｎｃｅｌｌａｔｉｏｎ）システムであって、外耳道に外耳道マイクロホンを有し、かつ、イヤモールドの先端に、レシーバと一緒に配置されているＡＯＣシステムが開発されている。
【発明の概要】
【発明が解決しようとする課題】
【０００５】
公知の解決法にも関わらず、依然として、特に聴取装置における閉塞感の解消の改善が必要とされている。
【課題を解決するための手段】
【０００６】
その結果、使用者の外耳道用のイヤモールドであって、イヤモールドは、イヤモールドシェルを有しているとともに軸に沿って延在しており、イヤモールドシェルは先端部を有し、先端部は、使用者によって装着されたときに使用者の鼓膜に対面し、イヤモールドは、外耳道において音を受けるための第１のマイクロホン用開口部に接続された第１のマイクロホンであって、第１のマイクロホン用開口部は、先端部から第１の距離の第１の位置に配置される第１のマイクロホンと、外耳道に音を生じさせるレシーバ用開口部であって、先端部から第２の距離の第２の位置に配置されるレシーバ用開口部と、を含むイヤモールドが提供される。第１の位置は第２の位置とは異なっていてもよい。
【０００７】
また、本明細書で説明するようなイヤモールドを含む聴取装置が開示され、聴取装置またはイヤモールドは、レシーバおよび第１のマイクロホンに接続された処理装置を含み、処理装置は、第１のマイクロホンからの入力信号に基づいて、レシーバへの出力信号を修正するように構成された閉塞感解消装置を含む。
【０００８】
レシーバおよび／またはベントの近接場効果が実質的に低下されるため、閉塞感の解消が改善することが、重要な利点である。さらに、能動的にすなわちアクティブに閉塞感の解消を図るために、より制御された閉ループ伝達関数が提供され、これにより同様に閉塞感の解消の改善が容易になることが利点である。
【０００９】
イヤモールドは、高周波数に関する本来の場所で（ｉｎ−ｓｉｔｕ）の外耳道の音圧の、より正確な測定／判断を可能にすることが有利である。
【００１０】
使用者の外耳道用のイヤモールドが開示されており、イヤモールドは、イヤモールドシェルを有しているとともに軸に沿って延在しており、イヤモールドシェルは先端部を有し、先端部は、使用者によって装着されたときに使用者の鼓膜に対面し、イヤモールドは、外耳道において音を受けるための第１のマイクロホン用開口部に接続された第１のマイクロホンであって、第１のマイクロホン用開口部が、イヤモールドシェルの先端部から第１の距離の第１の位置に配置されている第１のマイクロホンと、外耳道に音を生じさせるためのレシーバ用開口部であって、イヤモールドシェルの先端部から第２の距離の第２の位置に配置されているレシーバ用開口部とを含み、第１の位置は第２の位置とは異なる。
【００１１】
任意選択的に、第１のマイクロホン用開口部およびレシーバ用開口部は、軸に垂直な方向において互いにオフセットしている。
【００１２】
任意選択的に、第１の距離は第２の距離よりも短い。
【００１３】
任意選択的に、第１の位置と第２の位置との間の距離は少なくとも１ｍｍである。
【００１４】
任意選択的に、第１の位置と第２の位置との間の距離は、１．５ｍｍ〜５ｍｍの範囲であるか、またはそれよりも長い。
【００１５】
任意選択的に、イヤモールドは、外耳道を通気させるベント用開口部を備えるベントチャンネルをさらに含み、ベント用開口部は、先端部から軸に沿って第３の距離の第３の位置に配置され、第１の位置は第３の位置と異なる。
【００１６】
任意選択的に、第１の位置と第３の位置との間の距離は少なくとも１ｍｍである。
【００１７】
任意選択的に、第１の位置と第３の位置との間の距離は、１．５ｍｍ〜５ｍｍの範囲であるか、またはそれよりも大きい。
【００１８】
任意選択的に、第２の位置は第３の位置と異なる。
【００１９】
任意選択的に、第１の距離は１ｍｍよりも短い。
【００２０】
任意選択的に、第１のマイクロホン用開口部および／またはレシーバ用開口部は、イヤモールドシェルに配置される。
【００２１】
任意選択的に、イヤモールドは、イヤモールドシェルから延出するマイクロホンチューブをさらに含み、第１のマイクロホン用開口部は、マイクロホンチューブの遠位端部にある。
【００２２】
任意選択的に、イヤモールドは、イヤモールドシェルから延出するレシーバチューブをさらに含み、レシーバ用開口部は、レシーバチューブの遠位端部にある。
【００２３】
任意選択的に、イヤモールドは、レシーバ用開口部に接続されたレシーバをさらに含む。
【００２４】
聴取装置がイヤモールドを含み、聴取装置は、レシーバおよびマイクロホンに接続された処理装置を含み、処理装置は、マイクロホンからの入力信号に基づいて、レシーバへの出力信号を提供するように構成された閉塞感解消装置を含む。
【００２５】
以下の詳細な説明を読むことから、他のおよび別の態様および特徴が明らかになる。
【００２６】
上述のおよび他の特徴および利点は、添付の図面を参照して、その例示的な実施形態の以下の詳細な説明によって、当業者には容易に分かる。
【図面の簡単な説明】
【００２７】
【図１】例示的なイヤモールドを概略的に示す。
【図２】例示的なイヤモールドを概略的に示す。
【図３】先端部から見たイヤモールドの端面図である。
【図４】例示的なイヤモールドを概略的に示す。
【図５】先端部から見たイヤモールドの端面図である。
【図６】例示的なイヤモールドを概略的に示す。
【図７】先端部から見たイヤモールドの端面図である。
【図８】例示的なイヤモールドを概略的に示す。
【図９】先端部から見たイヤモールドの端面図である。
【発明を実施するための形態】
【００２８】
以下に説明する様々な実施形態は、図面を参照する。図面は、実施形態の説明を容易にするものにすぎないことにも留意されたい。図面は、特許請求する発明の包括的な説明を、または特許請求する発明の範囲の限定を意図するものではない。さらに、図示の実施形態は、図示の全ての態様または利点を有する必要はない。特定の実施形態と併せて説明した態様または利点は、必ずしも、その実施形態を限定するものではなく、およびそのように示されていなくても、またはそのように明白に説明されていなくても、任意の他の実施形態において実現できる。
【００２９】
イヤモールドはイヤモールドシェルを有する。イヤモールドシェルは外表面を有する。外表面は、イヤモールドの使用者の外耳道（ｅａｒ  ｃａｎａｌ）に収まるように構成され得る。
【００３０】
イヤモールドは、軸に沿って延在する。軸は、イヤモールドの長手方向に平行とし得る。軸は、外耳道に実質的に平行、すなわち２〜５度以内とし得る。
【００３１】
イヤモールドは、使用者が装着したときに、先端面が使用者の鼓膜に対面する先端部（遠位端部）を有する。軸は、先端面に垂直または実質的に垂直とし得る。先端面は、平面的でも、または丸みがあってもよい。さらに、イヤモールドは近位端部を有する。イヤモールドは、使用者が装着するときに、鼓膜から離れる方向に対面する近位面を有し得る。
【００３２】
イヤモールドは、外耳道において音を受けるための第１のマイクロホン用開口部に接続された、外耳道マイクロホンとしても示される第１のマイクロホンを含む。外耳道マイクロホンとして機能する第１のマイクロホンは、イヤモールドシェルのマイクロホンチューブおよび／またはマイクロホンチャンネルによって形成されたマイクロホンダクトを経由して、第１のマイクロホン用開口部に接続され得る。第１のマイクロホン用開口部は、軸に垂直としてもよく、または例えば７０度〜１１０度の範囲の角度で角度が付けられてもよく、それゆえ使用者の外耳道に向く。
【００３３】
第１のマイクロホン用開口部は、先端部から第１の距離（軸に沿って測定された）の第１の位置に配置される。第１の距離は、０〜８ｍｍの範囲またはそれよりも大きいとし得る。第１のマイクロホン用開口部は、先端部付近にまたは先端部に配置され得る。例えば、第１の距離は、２ｍｍ未満とし得る。第１のマイクロホン用開口部は、イヤモールドの先端部と近位端部との間に配置され得る。第１のマイクロホン用開口部は、先端部と鼓膜との間に配置され得る。第１のマイクロホン用開口部の直径は、少なくとも０．５ｍｍとし得る。
【００３４】
イヤモールドはレシーバ用開口部を含む。イヤモールドは、外耳道に音を生じさせるレシーバ用開口部に接続されたレシーバを含み得る。レシーバは、イヤモールドシェルのレシーバチューブおよび／またはレシーバチャンネルによって形成されたレシーバダクトを経由して、レシーバ用開口部に接続され得る。レシーバ用開口部は、軸に垂直としてもよく、または例えば７０度〜１１０度度の範囲の角度で角度が付けられてもよく、それゆえ使用者の外耳道内へと向ける。
【００３５】
レシーバ用開口部は、先端部から第２の距離（軸に沿って測定された）の第２の位置に配置される。第２の距離は、０〜８ｍｍの範囲またはそれよりも大きいとし得る。第１のマイクロホン用開口部およびレシーバ用開口部は、軸に垂直な横断面において分けられ、例えば、第１のマイクロホン用開口部およびレシーバ用開口部が横断面において一致して存在しないようにし得る。レシーバ用開口部の直径は少なくとも０．５ｍｍとし得る。
【００３６】
第１のマイクロホン用開口部およびレシーバ用開口部は、軸に垂直な横断面に投影されたときに、分離し得る。
【００３７】
第１の距離は、第２の距離と同じであっても、または異なっていてもよい。第１の位置と第２の位置との間の距離は、少なくとも１ｍｍとし得る。第１の位置（第１のマイクロホン用開口部）と第２の位置（レシーバ用開口部）との間の距離（軸に沿って測定された）は、１．５ｍｍ〜５ｍｍの範囲とし得る。
【００３８】
第１の距離は、第２の距離よりも短くし得る。第１のマイクロホン用開口部は、イヤモールドが外耳道内に挿入されたときにレシーバ用開口部よりも鼓膜に近く、それにより、特に高周波数において本来の場所での（ｉｎ−ｓｉｔｕ）外耳道圧（ｃａｎａｌ  ｐｒｅｓｓｕｒｅ）の測定に関する外耳道マイクロホンの精度を改善し得る。
【００３９】
第１のマイクロホン用開口部とレシーバ用開口部の横断方向の距離（第１の横断方向の距離）は、少なくとも１ｍｍ、例えば２〜５ｍｍの範囲とし得る。２つの開口部間の横断方向の距離、またはオフセットは、軸に垂直な平面に突出する２つの開口部の各中心間の距離である。
【００４０】
イヤモールドは、外耳道を通気させるベント用開口部を備えるベントチャンネルすなわち通気チャンネルを含んでもよく、ベント用開口部は、先端部から第３の距離（軸に沿って測定された）の第３の位置に配置される。第１のマイクロホン用開口部およびベント用開口部は、軸に垂直な横断面において分けられて、第１のマイクロホン用開口部およびベント用開口部が一致して存在しないようにし得る。ベント用開口部の直径は少なくとも０．５ｍｍとし得る。
【００４１】
第１の距離は、第３の距離と同じであっても、または異なっていてもよい。第１の位置と第３の位置との間の距離は、少なくとも１ｍｍとし得る。第１の位置と第３の位置との間の距離は、１．５ｍｍ〜５ｍｍの間の範囲としても、その範囲内としてもよいし、または５ｍｍを超えてもよい。
【００４２】
第２の距離は、第３の距離と異なっていてもよい。第２の位置は、第３の位置と同じであっても、または異なっていてもよい。第２の位置と第３の位置との間の距離は、少なくとも１ｍｍとし得る。第２の位置と第３の位置との間の距離は、１．５ｍｍ〜５ｍｍの間の範囲としても、その範囲内としてもよいし、または５ｍｍを超えてもよい。
【００４３】
第２の位置と第３の位置との間の距離は、１ｍｍ未満とし得る。
【００４４】
第１のマイクロホン用開口部およびベント用開口部は、軸に垂直な横断面に投影されたときに、分離され得る。第１のマイクロホン用開口部とベント用開口部の横断方向の距離（第２の横断方向の距離）は、少なくとも１ｍｍ、例えば２〜５ｍｍの範囲とし得る。レシーバ用開口部とベント用開口部の横断方向の距離（第３の横断方向の距離）は、少なくとも１ｍｍ、例えば２〜５ｍｍの範囲とし得る。
【００４５】
第１のマイクロホン用開口部および／またはレシーバ用開口部は、イヤモールドシェルに配置され得る。第１のマイクロホン用開口部、レシーバ用開口部およびベント用開口部は、軸に垂直な直線に沿って配置され得る。第１のマイクロホン用開口部、レシーバ用開口部およびベント用開口部は、先端部から見ると、三角形に配置されてもよく、例えば三角形は、全ての角度が１００度未満、例えば８０度未満である。
【００４６】
イヤモールドは、イヤモールドシェルから延出するマイクロホンチューブを含み、第１のマイクロホン用開口部が、マイクロホンチューブの遠位端部に形成され得る。これによって、第１のマイクロホン用開口部は鼓膜の近くに位置決めされてもよく、これは、音圧の変化を正確に判断するために望ましいとし得る。
【００４７】
イヤモールドは、イヤモールドシェルから延出するレシーバチューブを含んでもよく、レシーバ用開口部がレシーバチューブの遠位端部に形成され得る。これによって、レシーバ用開口部は鼓膜の近くに位置決めされ、これは、レシーバから鼓膜への可聴周波数の伝達すなわちオーディオ伝達を改善するために望ましいとし得る。
【００４８】
イヤモールドは、イヤモールドシェルから延出するベントチューブを含んでもよく、ベント用開口部がベントチューブの遠位端部に形成され得る。
【００４９】
イヤモールド、またはイヤモールドを含む聴取装置は、レシーバおよび第１のマイクロホンに接続された処理装置を含んでもよく、処理装置は、第１のマイクロホンへの信号に基づいて、レシーバへの出力信号を修正するように構成された閉塞感解消装置を含む。
【００５０】
イヤモールドは、周囲からの音を受ける第２のマイクロホンを含み得る。第２のマイクロホン、または関連の第２のマイクロホン用開口部は、イヤモールドの近位面に、および／または近位端部の近くに位置決めされ得る。１つ以上の第２のマイクロホンが、補聴器ハウジングまたはイヤモールドの外部の部分に配置され得る。
【００５１】
処理装置は、周囲からの音を受ける１つ以上の第２のマイクロホンに接続されてもよく、処理装置は、第１および第２のマイクロホンからの入力信号に基づいて、レシーバへの出力信号を修正するように構成された閉塞感解消装置を含む。
【００５２】
聴取装置は、耳穴（ＩＴＥ）型聴取装置、外耳道挿入（ＩＴＣ）型聴取装置、完全外耳道挿入（ＣＩＣ）型聴取装置、またはＩＩＣ（ｉｎｖｉｓｉｂｌｅ−ｉｎ−ｔｈｅ−ｃａｎａｌ）型聴取装置とし得る。
【００５３】
聴取装置は、ＲＩＴＥ（ｒｅｃｅｉｖｅｒ−ｉｎ−ｔｈｅ−ｅａｒ）型聴取装置、またはＲＩＣ（ｒｅｃｅｉｖｅｒ−ｉｎ−ｃａｎａｌ）型聴取装置とし得る。聴取装置は、例えばレシーバが、使用者の耳の後ろ側に位置決めされるように構成されたハウジングに配置される、耳掛け（ＢＴＥ）型聴取装置とし得る。
【００５４】
聴取装置は補聴器としてもよい、すなわち、使用者の聴力損失を補償するように構成された処理装置を備えてもよい。
【００５５】
図１は、使用者の外耳道用の例示的なイヤモールドを概略的に示す。イヤモールド２は、イヤモールドシェル４を有しており、軸Ｘに沿って延在する。イヤモールド２は、使用者によって装着されたときに使用者の鼓膜（図示せず）に対面する先端面７を備える先端部６を有する。軸Ｘは、先端面７に垂直である。イヤモールド２は、外耳道において音を受けるための、第１のマイクロホン用開口部１０に接続された第１のマイクロホン（外耳道マイクロホン）８を含む。第１のマイクロホン用開口部１０は、先端部６から軸Ｘに沿って第１の距離ｄ１の第１の位置に配置される。図１では、第１のマイクロホン用開口部は先端面に配置されている、すなわち第１の距離ｄ１＝０である。第１のマイクロホン８は、第１の導体１１を介して処理装置３０に接続され、第１のマイクロホン８から処理装置３０へ入力信号を供給する。さらに、イヤモールド２は、外耳道に音を生じさせるレシーバ用開口部１４に接続されたレシーバ１２を含み、レシーバ用開口部１４は、先端部６から軸Ｘに沿って第２の距離ｄ２の第２の位置に配置される。第２の距離ｄ２＝２ｍｍであるため、第１の距離ｄ１は第２の距離ｄ２と異なる。軸Ｘに沿った第１のマイクロホン用開口部およびレシーバ用開口部の変位は、特に高周波数におけるレシーバの近接場効果を低下させ、外耳道マイクロホン８によって実施される本来の場所での外耳道圧測定を改善し、かつより正確にする。レシーバ１２は、第２の導体１５を介して処理装置３０に接続され、処理装置３０からの出力信号を受信する。第１のマイクロホン用開口部１０は、軸Ｘに垂直なマイクロホン平面Ｐ１に配置される。レシーバ用開口部１４は、軸Ｘに垂直なレシーバ平面Ｐ２に配置される。
【００５６】
イヤモールド２は、外耳道を通気させるベント用開口部１８を備えるベントチャンネル１６を含む。ベント用開口部１８は、先端部６から軸Ｘに沿って第３の距離ｄ３（ｄ３＝３ｍｍ）の第３の位置に配置される。ベント用開口部１８は、軸Ｘに垂直なベント平面Ｐ３に配置される。
【００５７】
１つ以上の例示的なイヤモールドでは、マイクロホン平面Ｐ１、レシーバ平面Ｐ２、およびベント平面Ｐ３は、軸Ｘに対し非垂直とし得る。マイクロホン平面Ｐ１およびレシーバ平面Ｐ２は、非平行とし得る。マイクロホン平面Ｐ１およびベント平面Ｐ３は、非平行とし得る。レシーバ平面Ｐ２およびベント平面Ｐ３は、非平行とし得る。
【００５８】
図３は、イヤモールド、例えばイヤモールド２の例示的な端面図を示す。第１のマイクロホン用開口部１０、レシーバ用開口部１４、およびベント用開口部１８は、イヤモールドシェル４の第１の面２０、第２の面２２、および第３の面２４にそれぞれ配置されている。第１の位置は、第２の位置および／または第３の位置と比較すると、先端部に最も近い。イヤモールド２では、第１の面２０は先端面７に対応する。図３から分かるように、開口部１０、１４、および１８は、軸Ｘに垂直な横断面において一致して存在しない、すなわち開口部１０、１４、および１８の間の横断方向の距離は、非ゼロである。
【００５９】
図１に戻って説明すると、イヤモールド２は、第３の導体３１を介して処理装置３０に接続された第２のマイクロホン３２を含み、第２のマイクロホン３２から、イヤモールドを装着する使用者の聴力損失に従って処理装置３０によって補償されるべき外部入力信号を受信する。第２のマイクロホン３２および処理装置３０は、イヤモールドシェル４内に収容される。１つ以上の代替的なイヤモールドでは、第２のマイクロホン３２および／または処理装置３０は、イヤモールドシェル４の外部に位置決めされ得る。
【００６０】
図６に示すように、イヤモールド２は、イヤモールドシェルから延出するマイクロホンチューブを含み、第１のマイクロホン用開口部がマイクロホンチューブの遠位端部に形成され得る。図８に示すように、イヤモールド２は、イヤモールドシェルから延出するレシーバチューブを含み、レシーバ用開口部がレシーバチューブの遠位端部に形成され得る。
【００６１】
図２は、イヤモールド２と同様の例示的なイヤモールド１０２を示す。イヤモールド１０２では、レシーバ用開口部１４は、第１のマイクロホン用開口部（ｄ１＝２ｍｍ）より先端部の近くに配置される（ｄ２＝０）。導体１１、１５は、第１のマイクロホン８からの入力信号に基づいて、レシーバ１２への出力信号における閉塞感の解消を実施するために、処理装置（図示せず）に接続される。
【００６２】
図３は、イヤモールド２などの例示的なイヤモールドの端面図である。第１のマイクロホン用開口部１０は、先端面７であるイヤモールドシェル４の第１の面２０に配置される。レシーバ用開口部１４はイヤモールドシェル４の第２の面２２に配置され、ベント用開口部１８はイヤモールドシェル４の第３の面２４に配置される。第１のマイクロホン用開口部１０とレシーバ用開口部１４との間の横断方向の距離は２ｍｍである。第１のマイクロホン用開口部１０とベント用開口部１８との間の横断方向の距離は４ｍｍである。レシーバ用開口部１４とベント用開口部１８との間の横断方向の距離は２ｍｍである。
【００６３】
図４および図５は、例示的なイヤモールド２０２を示す。レシーバ用開口部１４およびベント用開口部１８は、先端部６から軸Ｘに沿って同じ距離に配置される。第１のマイクロホン用開口部１０とレシーバ用開口部１４との間の横断方向の距離は２ｍｍである。第１のマイクロホン用開口部１０とベント用開口部１８との間の横断方向の距離は２ｍｍである。レシーバ用開口部１４とベント用開口部１８との間の横断方向の距離は４ｍｍである。開口部１０、１４、および１８は、軸Ｘに垂直な横断面において一致して存在しない、すなわち、開口部１０、１４、および１８の間の横断方向の距離は非ゼロである。
【００６４】
図６は、例示的なイヤモールド３０２を示す。イヤモールド３０２は、イヤモールドシェル４から延出するマイクロホンチューブ３４を含み、第１のマイクロホン用開口部１０がマイクロホンチューブ３４の遠位端部に形成されている。第１のマイクロホン用開口部１０は、鼓膜の近くに位置決めされ得る。
【００６５】
図７は、例示的なイヤモールド、例えばイヤモールド１０２または３０２の端面図である。第１のマイクロホン用開口部１０は、第２の面２２（イヤモールド１０２）またはマイクロホンチューブ（イヤモールド３０２）に配置される。レシーバ用開口部１４は、先端面７であるイヤモールドシェル４の第１の面２０に配置される。ベント用開口部１８は、イヤモールドシェル４の第３の面２４に配置される。第１のマイクロホン用開口部１０とレシーバ用開口部１４との間の第１の横断方向の距離ｄ’１は２ｍｍである。第１のマイクロホン用開口部１０とベント用開口部１８との間の第２の横断方向の距離ｄ’２は２ｍｍである。レシーバ用開口部１４とベント用開口部１８との間の第３の横断方向の距離ｄ’３は４ｍｍである。
【００６６】
図８は、例示的なイヤモールド４０２を示す。イヤモールド４０２は、イヤモールドシェル４の第２の面２２から延出するレシーバチューブ３６を含み、レシーバ用開口部１４がレシーバチューブ３６の遠位端部に形成されている。このイヤモールドでは、第１のマイクロホン用開口部１０は、先端面７から延在するマイクロホンチューブに配置され得る。
【００６７】
図９は、イヤモールド４０２の例示的な端面図である。第１のマイクロホン用開口部１０は、先端面７であるイヤモールドシェル４の第１の面２０に配置される。レシーバ用開口部１４は、イヤモールドシェル４の第２の面２２から延出するレシーバチューブに配置され、ベント用開口部１８は、イヤモールドシェル４の第３の面２４に配置される。第１のマイクロホン用開口部１０とレシーバ用開口部１４との間の横断方向の距離は２ｍｍである。第１のマイクロホン用開口部１０とベント用開口部１８との間の横断方向の距離は４ｍｍである。レシーバ用開口部１４とベント用開口部１８との間の横断方向の距離は２ｍｍである。
【００６８】
例示的なイヤモールドＡ〜Ｅの特徴を、下記の表に提示する。ここでは、ｄ１は第１の距離であり、ｄ２は第２の距離であり、ｄ３は第３の距離であり、ｄ’１は、第１のマイクロホン用開口部とレシーバ用開口部との間の横断方向の距離であり、ｄ’２は、第１のマイクロホン用開口部とベント用開口部との間の横断方向の距離であり、およびｄ’３は、レシーバ用開口部とベント用開口部との間の横断方向の距離である。
【００６９】
【表１】
2015144432.tif 000003
【００７０】
特定の例示的なイヤモールドを図示して説明したが、特許請求する発明を例示的なイヤモールドに限定するものではないこと、および特許請求する発明の趣旨および範囲から逸脱せずに、当業者には、様々な変更および修正がなし得ることが明白であることを理解されたい。その結果、明細書および図面は、限定ではなく、説明であるとみなされる。特許請求する発明は、代替形態、修正形態、および均等物を網羅するものである。
【００７１】
以下の項目の何れかによるイヤモールドも開示される。
（項目１）
使用者の外耳道用のイヤモールドであって、前記イヤモールドは、イヤモールドシェルを有しているとともに軸に沿って延在しており、前記イヤモールドシェルは先端部を有し、前記先端部は、前記使用者によって装着されたときに前記使用者の鼓膜に対面し、
前記イヤモールドは、
前記外耳道において音を受けるための第１のマイクロホン用開口部に接続された第１のマイクロホンであって、前記第１のマイクロホン用開口部が前記イヤモールドシェルの前記先端部から第１の距離の第１の位置に配置されている第１のマイクロホンと、
前記外耳道に音を生じさせるためのレシーバ用開口部であって、前記イヤモールドシェルの前記先端部から第２の距離の第２の位置に配置されているレシーバ用開口部と、を含み、
前記第１の位置が前記第２の位置と異なるイヤモールド。
（項目２）
前記第１のマイクロホン用開口部および前記レシーバ用開口部が、前記軸に垂直な方向において互いにオフセットしている項目１に記載のイヤモールド。
（項目３）
前記第１の距離が、前記第２の距離より短い項目１または２に記載のイヤモールド。
（項目４）
前記第１の位置と前記第２の位置との間の距離が、少なくとも１ｍｍである項目１から３のいずれか一項に記載のイヤモールド。
（項目５）
前記第１の位置と前記第２の位置との間の距離が、１．５ｍｍ〜５ｍｍの範囲である項目４に記載のイヤモールド。
（項目６）
前記外耳道を通気させるためのベント用開口部を備えるベントチャンネルをさらに含み、
前記ベント用開口部は、前記先端部から前記軸に沿って第３の距離の第３の位置に配置されており、
前記第１の位置は、前記第３の位置と異なる項目１から５のいずれか一項に記載のイヤモールド。
（項目７）
前記第１の位置と前記第３の位置との間の距離が、少なくとも１ｍｍである項目６に記載のイヤモールド。
（項目８）
前記第１の位置と前記第３の位置との間の距離が、１．５ｍｍ〜５ｍｍの範囲である項目７に記載のイヤモールド。
（項目９）
前記第２の位置が、前記第３の位置と異なる項目６から８のいずれか一項に記載のイヤモールド。
（項目１０）
前記第１の距離が、１ｍｍ未満である項目１から９のいずれか一項に記載のイヤモールド。
（項目１１）
前記第１のマイクロホン用開口部と前記レシーバ用開口部の少なくとも一方が、前記イヤモールドシェルに配置されている項目１から１０のいずれか一項に記載のイヤモールド。
（項目１２）
前記イヤモールドシェルから延出するマイクロホンチューブをさらに含み、
前記第１のマイクロホン用開口部は、前記マイクロホンチューブの遠位端部にある項目１から１１のいずれか一項に記載のイヤモールド。
（項目１３）
前記イヤモールドシェルから延出するレシーバチューブをさらに含み、
前記レシーバ用開口部が、前記レシーバチューブの遠位端部にある項目１から１２のいずれか一項に記載のイヤモールド。
（項目１４）
前記レシーバ用開口部に接続されたレシーバをさらに含む項目１から１３のいずれか一項に記載のイヤモールド。
（項目１５）
レシーバおよびマイクロホンに接続された処理装置を含み、
前記処理装置が、前記マイクロホンからの入力信号に基づいて前記レシーバへの出力信号を提供するように構成された閉塞感解消装置を含む項目１から１４のいずれか一項に記載のイヤモールドを含む聴取装置。
【符号の説明】
【００７２】
２、１０２、２０２、３０２、４０２  イヤモールド
４  イヤモールドシェル
６  先端部
７  先端面
８  第１のマイクロホン
１０  第１のマイクロホン用開口部
１１  第１の導体
１２  レシーバ
１４  レシーバ用開口部
１５  第２の導体
１６  ベントチャンネル
１８  ベント用開口部
２０  第１の面
２２  第２の面
２４  第３の面
３０  処理装置
３１  第３の導体
３２  第２のマイクロホン
３３  第２のマイクロホン用開口部
３４  マイクロホンチューブ
３６  レシーバチューブ
Ｐ１  マイクロホン平面
Ｐ２  レシーバ平面
Ｐ３  ベント平面
ｄ１  第１の距離
ｄ２  第２の距離
ｄ３  第３の距離
ｄ’１  第１の横断方向の距離
ｄ’２  第２の横断方向の距離
ｄ’３  第３の横断方向の距離
Ｘ  軸
【図１】
2015144432.tif 000004
【図２】
2015144432.tif 000005
【図３】
2015144432.tif 000006
【図４】
2015144432.tif 000007
【図５】
2015144432.tif 000008
【図６】
2015144432.tif 000009
【図７】
2015144432.tif 000010
【図８】
2015144432.tif 000011
【図９】
2015144432.tif 000012
【外国語明細書】
2015144432000001.pdf
2015144432000002.pdf
2015144432000003.pdf
2015144432000004.pdf